(57)【特許請求の範囲】
【請求項１】
洗浄されるびんを倒立状態で収容する筒状のびんホルダを、被取付体が備える板状部材に形成された孔内に挿入して取り付けた、洗浄ノズルを備えた洗びん機のホルダ取付構造において、上記びんホルダはびんを倒立状態で収容する円筒状の本体部と、本体部から突出して設けられた取付部と、本体部の外面に放射状に形成された補強用リブとを備え、上記板状部材に形成した孔は上記びんホルダの本体部の外周径よりも大きく、該板状部材の孔に上記びんホルダの本体部を挿入して、上記取付部を板状部材に固定するとともに、上記補強用リブを板状部材に当接させて板状部材にびんホルダを固定することによって、上記びんホルダの本体部の外周と板状部材間に間隙が形成されて、上方の洗浄ノズルから噴射された洗浄液が上記間隙から入り込んで、上記びんホルダの本体部の外面が洗浄されることを特徴とする洗びん機のホルダ取付構造。
【請求項２】
洗浄されるびんを倒立状態で収容する筒状のびんホルダを、被取付体が備える板状部材に形成された孔内に挿入して取り付けた洗びん機のホルダ取付構造において、上記びんホルダはびんを倒立状態で収容する円筒状の本体部と、本体部から放射状に突出して設けられた取付部とを備え、上記板状部材に形成した孔は上記びんホルダの本体部の外周径よりも大きく、該板状部材の孔に上記びんホルダの本体部を挿入して、上記取付部によって板状部材にびんホルダを固定することによって、上記びんホルダの本体部の外周と板状部材間に間隙が形成されて、上方の洗浄ノズルから噴射された洗浄液が上記間隙から入り込んで、上記びんホルダの本体部の外面が洗浄されることを特徴とする洗びん機のホルダ取付構造。
【発明の詳細な説明】
【０００１】
【発明の属する技術分野】
本発明は、洗びん機において洗浄されるびんを倒立状態で収容するびんホルダの取付構造に関するものである。
【０００２】
【従来の技術】
従来、この種のびんホルダとしては図６に示すものが存在した。図において、２１はホルダを取り付けるブリッジで、これは水平な天板２１ａとこの天板２１ａの両辺より鉛直方向に延設される側板２１ｂ、２１ｂとから成り、天板２１ａにはホルダを挿入する取付孔２１ｃが形成されており、側板２１ｂ、２１ｂの両先端は内方に折曲している。２２はこの取付孔２１ｃに挿入支持されるびんホルダで、その外周に取付孔２１ｃの周縁上部に係支されるフランジ２２ａを備え、フランジ２２ａはリベット２３により天板２１ａに固定されている。びんホルダ２２は円筒形状を有し、上記ブリッジ２１に装着されたとき、その下部は上記側板２１ｂの先端に当接するよう構成されている。このような洗びん機のホルダ取付構造は実公昭６０−３０２３３号公報において開示されている。
【０００３】
【発明が解決しようとする課題】
しかして、従来の洗びん機のホルダ取付構造によれば、洗浄時にはびんホルダ２２内にびん２４を倒立状態で収容し、上方及び下方から洗浄液を噴射し、またはブリッジ２１ごと浸漬槽に浸漬してびん２４の内外面を洗浄するが、ブリッジ２１の内側部分、特に天板２１ａの下面とびんホルダ２２の外周面の交差部Ａは水切れが悪く、かつ洗浄液の噴射の死角となるため雑菌が発生して繁殖し易いという問題があった。
【０００４】
本発明は、びんホルダを取り付けた被取付体の内側にも洗浄液の噴射を作用させることにより被取付体の内側を清浄に保つことのできる洗びん機のホルダ取付構造を提供することを目的としている。
【０００５】
【課題を解決するための手段】
本発明は、前記課題の解決を図ったもので、次のような技術手段を採用した。
請求項１の発明においては、洗浄されるびんを倒立状態で収容する筒状のびんホルダを、被取付体が備える板状部材に形成された孔内に挿入して取り付けた、洗浄ノズルを備えた洗びん機のホルダ取付構造において、上記びんホルダはびんを倒立状態で収容する円筒状の本体部と、本体部から突出して設けられた取付部と、本体部の外面に放射状に形成された補強用リブとを備え、上記板状部材に形成した孔は上記びんホルダの本体部の外周径よりも大きく、該板状部材の孔に上記びんホルダの本体部を挿入して、上記取付部を板状部材に固定するとともに、上記補強用リブを板状部材に当接させて板状部材にびんホルダを固定することによって、上記びんホルダの本体部の外周と板状部材間に間隙が形成されて、上方の洗浄ノズルから噴射された洗浄液が上記間隙から入り込んで、上記びんホルダの本体部の外面が洗浄されるという技術手段を採用した。
請求項２の発明においては、洗浄されるびんを倒立状態で収容する筒状のびんホルダを、被取付体が備える板状部材に形成された孔内に挿入して取り付けた洗びん機のホルダ取付構造において、上記びんホルダはびんを倒立状態で収容する円筒状の本体部と、本体部から放射状に突出して設けられた取付部とを備え、上記板状部材に形成した孔は上記びんホルダの本体部の外周径よりも大きく、該板状部材の孔に上記びんホルダの本体部を挿入して、上記取付部によって板状部材にびんホルダを固定することによって、上記びんホルダの本体部の外周と板状部材間に間隙が形成されて、上方の洗浄ノズルから噴射された洗浄液が上記間隙から入り込んで、上記びんホルダの本体部の外面が洗浄されるという技術手段を採用した。
【０００６】
【発明の実施の形態】
図１は本発明に係るホルダ取付構造を備えた洗びん機の要部断面図、図２（ａ）は本発明の第一実施例に係るホルダ取付構造を示す平面図、（ｂ）はその正面断面図及びびんの収容状態を示す図である。
図１において１は洗びん機を示し、１ａはその側壁である。洗びん機１内には複数のスプロケットが配置されており、これらスプロケットに無端状のチェーン２が掛け回されている。スプロケットの回転に伴ってチェーン２に取り付けられたローラ３が、側壁１ａに設けられたレール４に支持されて走行し洗びん機１内を循環する。このようなチェーン２は側壁１ａに対向する図示しない側の側壁にも配置されており、両側のチェーン２に渡って被取付体となる多数のブリッジ５が所定間隔で連結されている。ブリッジ５にはびんボルダ６が取り付けられていて、チェーン２の移動によりびんホルダ６に収容されたびん７が洗びん機１内で搬送されるようになっている。
【０００７】
ブリッジ５の移動経路の上方側には洗浄ノズル８ａを備えた給液パイプ８が配置されるとともに、下方側にも洗浄ノズル９ａを備えた給液パイプ９が配置されている。これによりびんホルダ６に収容されて搬送されるびん７に対して洗浄液が噴射され、びん７の内外面を洗浄するようになっている。
【０００８】
ブリッジ５は図２で示すように、天板（板状部材）５ａと、この天板５ａの両辺より鉛直方向に垂下される側板５ｂ、５ｂとにより下方側に開放された断面コ字状に構成され、天板５ａにはびんホルダ６を挿入する取付孔５ｃが形成されている。びんホルダ６は樹脂成型され、びん７を倒立状態で収容する円筒状の本体部６ａと、この本体部６ａの上部から突出して形成されブリッジ５に対する固定手段を構成する取付部６ｂとを有しており、取付部６ｂは本体部６ａの鉛直中心を挟んで１つずつ設けられている。本体部６ａの内面には倒立状態で収容されるびん７の肩部を支持するリブ１０が放射状に４ヶ所形成されており、外面にはこれと位置を合わせて補強用リブ１１が形成されている。
【０００９】
天板５ａに形成された取付孔５ｃはびんホルダ６の本体部６ａの外周径よりも大きく、びんホルダ６をブリッジ５に取り付けた状態で本体部６ａの外周と天板５ａとの間に間隙１２が形成されるようになっている。取付部６ｂはこの間隙１２を越えて天板５ａと重なる長さを有して突出しており、本実施例においては天板５ａに対してびんホルダ６を下方から取付孔５ｃに挿入し、取付部６ｂを天板５ａの下面側に当接させてボルト１７ａ、ナット１７ｂにより固定するようになっている。また複数の補強用リブ１１のうち取付部６ｂと重ならない位置のものは、その上端が天板５ａの下面側に当接するようになっていて取り付けられたびんホルダ６の捻れを防止している。
【００１０】
このようなびんホルダ６の取付構造によるびん７の洗浄では、洗びん機１に供給されたびん７は倒立状態でびんホルダ６に収容されて搬送され、上方の洗浄ノズル８ａから拡散されて噴射される洗浄液によってその外面が洗浄されるとともに、下方の洗浄ノズル９ａから拡散されて噴射される洗浄液によってその内外面が洗浄される。この時、びんホルダ６の外周と天板５ａの間には間隙１２が形成されているので、上方の洗浄ノズル８ａから噴射された洗浄液が間隙１２から天板５ａの内側に入り込んでホルダ６の外面が洗浄される。また、ブリッジ５は断面コ字状に構成されているので、下方の洗浄ノズル９ａから噴射された洗浄液が効果的に作用し、びんホルダ６の外面及びブリッジ５の内側も洗浄される。つまり、取付部６ｂおよび補強用リブ１１を設けた箇所を除いた部分全てが間隙１２として形成されているので、従来のホルダ取付構造で存在した交差部Ａのような箇所が極力少なく構成されブリッジ５の内側を清浄に保つことができるものである。
【００１１】
図３（ａ）は第二実施例に係るホルダ取付構造を示す平面図であり、（ｂ）はその正面断面図である。本第二実施例によれば、びんホルダ６の取付部６ｂが放射状に４ヶ所から突出して形成され、本体部６ａの外面に補強用リブ１１はなく内面にびん７の肩部を支持するリブ１０が取付部６ｂと位置を合わせて形成されている。本実施例においては天板５ａに対してびんホルダ６を上方から取付孔５ｃに挿入し、取付部６ｂを天板５ａの上面側に当接させてリベット１７ｃにより固定するようになっている。これ以外は前記第一実施例と同様の構成を有しており、このようなびんホルダ６の取付構造であっても第一実施例と同様の作用効果を得ることができる。
【００１２】
図４（ａ）は第三実施例に係るホルダ取付構造を示す平面図であり、（ｂ）はその正面断面図、図５は図４で示すホルダの正面図である。
本実施例におけるびんホルダ６は取付部６ｂが放射状に４ヶ所から突出して形成されており、本体部６ａの外面に補強用リブ１１はなく内面にびん７の肩部を支持するリブ１０が取付部６ｂと位置を異ならせて形成されている。取付部６ｂは本体部６ａの上端から下方へ形成されるテーパ状の上部突出部１３とその下方に配置される下部突出部１４とから構成されている。上部突出部１３は、上端が本体部６ａの外面に一致しており上部側が最も低く、下方に行くに従って次第に高くなり、その下端部分が直角に切り欠かれている（図４（ｂ）参照）。この切り欠かれた部分が後に説明するように、びんホルダ６を天板５ａに取り付ける際のガイド部１５になっている。上部突出部１３のうち本体部６ａの鉛直中心を挟んで対向する１組は拡大して形成されており、これら拡大された上部突出部１３は、多数のびんホルダ６を並べてブリッジ５に取り付けた際に、隣接するびんホルダ６の拡大された上部突出部１３と互いに当接して回り止めの機能を果たすようになっている。
【００１３】
この上部突出部１３の下方に、横方向の溝１６ａと縦方向の溝１６ｂとから成る逆Ｌ字状の切欠溝１６が形成されている（図５参照）。縦方向溝１６ｂに隣接して、テーパ状の下部突出部１４が形成されている。この下部突出部１４は、前記横方向溝１６ａ側、すなわち上部側が最も高く、下方に行くに従って次第に低くなり、下端部が本体部６ａの外面に一致している。この下部突出部１４の上端面１４ａと上部突出部１３の下端に設けたガイド部１５の下端面１５ａがブリッジ５の天板５ａの厚さにほぼ一致している。また、ガイド部１５の側面１５ｂは、本体部６ａ鉛直中心を挟んで対向する一対の上部突出部１３間で、その間隔が天板５ａの取付孔５ｃの直径にほぼ一致するように設定されている。この側面１５ｂの本体部６ａ外面からの高さが、間隙１２の幅に相当する。
【００１４】
このようなびんホルダ６をブリッジ５に取り付ける際には、天板５ａに対してびんホルダ６を上方から取付孔５ｃに挿入する。びんホルダ６が挿入されて、下部突出部１４の下部側が取付孔５ｃの内面に当ると、下部突出部１４は上方へ向って次第に外方へ大きく突出しているとともに、逆Ｌ字状の切欠溝１６が形成されているので、びんホルダ６を下方に向けて押し下げるに従って、下部突出部１４は取付孔５ｃの内面に押されてびんホルダ６の内部側へ弾性変形する。さらに押し込むことによって天板５ａはガイド部１５の下端部１５ａに当接し、これによって弾性変形された下部突出部１４が復帰しびんホルダ６が天板５ａに固定される。
【００１５】
以上のような固定手段の構成以外は前記第一実施例および第二実施例と同様の構成を有しており、このようなびんホルダ６の取付構造であっても第一実施例、第二実施例と同様の作用効果を得ることができる。
【００１６】
【発明の効果】
以上述べたように本発明はによれば、洗浄されるびんを倒立状態で収容する筒状のびんホルダを、被取付体が備える板状部材に形成された孔内に挿入して取り付けた洗びん機のホルダ取付構造において、びんホルダの外周と板状部材間に間隙が形成されているので、びんホルダを取り付けた被取付体の内側にも洗浄液の噴射を作用させることにより、被取付体の内側を清浄に保つことができる。
【図面の簡単な説明】
【図１】  本発明に係るホルダ取付構造を備えた洗びん機を示す要部断面図である。
【図２】（ａ）本発明の第一実施例に係るホルダ取付構造を示す平面図である。
（ｂ）本発明の第一実施例に係るホルダ取付構造を示す正面断面図及びびんの収容状態を示す図である。
【図３】（ａ）第二実施例に係るホルダ取付構造を示す平面図である。
（ｂ）第二実施例に係るホルダ取付構造を示す正面断面図である。
【図４】（ａ）第三実施例に係るホルダ取付構造を示す平面図である。
（ｂ）第三実施例に係るホルダ取付構造を示す正面断面図である。
【図５】  図４で示す実施例に係るホルダの正面図である。
【図６】（ａ）従来のホルダ取付構造を示す平面図である。
（ｂ）従来のホルダ取付構造を示す正面図及びびんの収容状態を示す図である。
【符号の説明】
１・・・・洗びん機                      ２・・・・チェーン
３・・・・ローラ                        ４・・・・レール
５・・・・ブリッジ                      ６・・・・びんホルダ
７・・・・びん                          ８・・・・給液パイプ
９・・・・給液パイプ                  １０・・・・リブ
１１・・・・補強用リブ                  １２・・・・間隙
１３・・・・上部突出部                  １４・・・・下部突出部
１５・・・・ガイド部                    １６・・・・切欠溝
１７ａ・・・・ボルト                    １７ｂ・・・・ナット
１７ｃ・・・・リベット
２１・・・・ブリッジ                    ２２・・・・びんホルダ
２３・・・・リベット                    ２４・・・・びん
Ａ・・・・交差部
【図１】
0004467198.tif 000002
【図２】
0004467198.tif 000003
【図３】
0004467198.tif 000004
【図４】
0004467198.tif 000005
【図５】
0004467198.tif 000006
【図６】
0004467198.tif 000007